(57)【要約】      （修正有）【課題】書類等を収納したままの複数のクリアファイルを容易に収脱することができ、まとめて閲覧・整理・持運びすることができるブック状のファイル収納具を提供する。【解決手段】表表紙・背表紙・裏表紙１から成る表紙部と、略長方形のポケット２６を備えた複数のシートページ２１から成る収納部によって構成され、ポケット２６内にＡ４用のクリアファイルを収納できる。複数のシートページ２１は、表表紙・裏表紙間に狭まれる形で背表紙に固定され、ブック形状となっている。材質は市販のクリアファイルやクリアブックと同様、透明・軟質のポリプロピレンを採用する。最大の特徴は、ポケット２６の上辺がシートページ２１の上辺よりも低い位置に設定されており、ポケット２６の上辺及び背表紙側の側辺が開放されているため、クリアファイルをポケット２６の上辺及び側辺を通過させて容易に収脱できる構成となっている点にある。【選択図】図５
0003194767.tif 000002
【実用新案登録請求の範囲】
【請求項１】
複数のクリアファイルを収容するブック状のファイル収納具であって、
表表紙・背表紙・裏表紙から成る表紙部と、
各々が略長方形のポケットを備えた複数のシートページから成る収納部と、
を有し、
前記複数のシートページは前記背表紙に固定されつつ前記表表紙・前記裏表紙間に狭設され、
前記略長方形のポケットは上辺及び前記背表紙側の側辺が開放されていることを特徴とするファイル収納具。
【請求項２】
前記ポケットの前記上辺は前記シートページの上辺よりも低い位置に設置されており、前記クリアファイルを、解放された前記上辺及び前記背表紙側の側辺を通して容易に収脱できることを特徴とする請求項１記載のファイル収納具。
【請求項３】
前記表紙部の前記裏表紙は、内側にクリアファイル収納のためのポケットを備えることを特徴とする請求項１又は２記載のファイル収納具。
【請求項４】
前記表紙部及び前記収納部は透明かつ軟質のポリプロピレンを素材とすることを特徴とする請求項１乃至３のいずれかに記載のファイル収納具。
【考案の詳細な説明】
【技術分野】
【０００１】
本考案は書類をクリアファイルごと収納できるブック状のファイル収納具に関する。
【背景技術】
【０００２】
ポリプロピレン製で透明の軟質のシートを２枚重ねて袋状にし、その間に書類を挟んで使用するファイル収納具は「クリアファイル」又は「クリアホルダー」（以降、一括して「クリアファイル」という。）と呼ばれる。クリアファイルは書類を収納した状態で閲覧できるため、広く使用されている。
【０００３】
一方、複数の書類を、穴を開けることなく、閲覧可能な状態で収納し持ち歩くために、複数のポリプロピレン製の収納袋をブック状に綴じたファイル収納具も市販されており、一般に「クリアブック」と呼ばれている。
【０００４】
通常、前記複数のクリアファイルに収納された書類を持ち歩く場合には、一旦クリアファイルから書類を取出しクリアブックに移すか、又は、個々のクリアファイルを鞄等に入れて持ち歩く。
【先行技術文献】
【特許文献】
【０００５】
【特許文献１】実用新案登録第３０８５９３５号
【考案の概要】
【考案が解決しようとする課題】
【０００６】
上述したように、複数のクリアファイルに収納した個々の書類等をまとめて持ち歩く際、書類等を前記個々のクリアファイルからクリアブックへ移すことがあるが、面倒である。また、市販のクリアブックは上辺に開口部を有する袋になっているため出し入れが容易でなく、袋に入れる際に書類が折れてしまう場合もある。これを避けるために、クリアファイルごと収納できる大きめのクリアブックも市販されているが、基本的な構造は、書類を上辺の開放部を通して収納するクリアブックと変わりないため、クリアファイルの収脱が容易でなく手間取ることが多い。
【０００７】
一方、これらの手間を省こうと、クリアブックを利用せず、複数のクリアファイルを直接鞄等に収容して持ち歩くこともあるが、鞄にバラバラに突っ込んだクリアファイルは整理がつかず、目的のファイルを鞄から取り出すのに時間がかかる。また、一つのクリアファイルに複数枚の書類を重ねて入れたものは、クリアファイルの開放口を下にすると中身の書類が滑って落ちてしまうこともある。
【０００８】
この問題を解決すべく、特許文献１には、表表紙・背表紙・裏表紙を有するバインダーの背表紙内側に、綴具として２つの引張コイルバネを横向きに配設し、前記引張コイルバネのコイル間にクリアファイルを挟み込んで複数のクリアファイルを保持する考案が開示されている。
【０００９】
しかしながら、この方法では、コイルに挟み込んだ部分が隠れて閲覧できないうえ、クリアファイルや書類上にコイルの挟み跡が残ってしまう心配がある。また、コイルバネがクリアファイルを保持するに十分な狭圧力を有しない場合にはクリアファイルが外れて落ちてしまう恐れがある一方で、狭圧力が強い場合には、クリアファイルのコイル間への挟み込みに手間取ることになる。
【００１０】
以上の問題に鑑み、本考案においては、書類等を収納したままの複数のクリアファイルを容易に収脱することができ、まとめて閲覧・整理・持運びすることができるブック状のファイル収納具を提供することを課題とする。
【課題を解決するための手段】
【００１１】
上記課題を解決するために、本考案に係るブック状のファイル収納具は、表表紙・背表紙・裏表紙から成る表紙部と、略長方形のポケットを備えた複数のシートページから成る収納部とによって構成され、前記ポケット内に書類をクリアファイルごと収納できることを特徴とする。前記複数のシートページ及びポケットは、Ａ４サイズ用のクリアファイルが収納できる大きさになっており、表表紙・裏表紙間に狭まれる形で背表紙に固定されている。また、クリアファイルごと収納された書類を、ページを捲りながら閲覧できるように、材質は市販のクリアファイルと同様、透明・軟質のポリプロピレンを採用している。
【００１２】
本ファイル収納具の最大の特徴は、ポケットの上辺がシートページの上辺よりも低い位置に設定されており、ポケットの上辺及び背表紙側の側辺が開放されているため、クリアファイルを前記ポケットの上辺及び側辺を通過させて容易に収脱できる構成となっている点にある。
【考案の効果】
【００１３】
複数の書類をクリアファイルごと収納することができ、まとめて閲覧・整理・持運びすることができるため、持運びのために、いちいち書類をクリアブックに移す手間が要らなくなる。また、複数のクリアファイルをそのまま鞄等に入れることにより書類が鞄内でばらばらになったり、目的のファイルを取り出すのに苦労したりすることがなくなる。
【００１４】
収納ポケットの上辺及背表紙側の側辺が開放されており、ポケットの上辺がシートページの上辺よりも低い位置に設定されているため、クリアファイルの収脱が極めて容易になる。
【図面の簡単な説明】
【００１５】
【図１】本実施形態のファイル収納具の斜視図である。
【図２】表紙部の正面図である。
【図３】収納部の展開図である。
【図４】最初のシートページを開いた状態を示す正面図である。
【図５】背表紙に固定された元シートを示す正面図である。
【図６】背表紙近傍の拡大平面図である。
【考案を実施するための形態】
【００１６】
以下、本考案に係るファイル収納具の１実施形態について図を用いて説明する。図１は本実施形態のファイル収納具の全体を示す斜視図である。
【００１７】
本実施形態のファイル収納具は、図１に示すように表紙部１及び収納部２によって構成され、透明かつ軟質のポリプロピレンを素材とする。
【００１８】
図２に示すように、表紙部１は表表紙１１、背表紙１２及び裏表紙１３から成り、背表紙１２には収納部固定のためのリベットを通す２つの穴１４が設けられている。また、本実施形態においては、収納部だけでなく、表紙部１においてもクリアファイルを収納できるように、裏表紙１３の内側にポケット１６が設けられている。
【００１９】
本ファイル収納具は収納部２において８枚、表紙部１において1枚、計９枚のクリアファイルが収納可能になっている。すなわち、収納部２は８ページのシートページ２１によって構成されるが、該８ページのシートページは４枚の元シート２２を重ねて中央で折り綴じする構成をとっている。図３は1枚の元シート２２の展開図を示す。
【００２０】
図３に示すように、１枚の元シート２２はページ部２３、ポケットシート部２４及びマチ部２５から成り、ポケットシート部２４の上辺２４１はページ部２３の上辺２３１より４０ｍｍから５０ｍｍほど低くなっている。ポケットシート部２４は図３の点線において矢印方向ページ部２３側に折られ、両部の下辺２３２及び２４２を圧着する。この結果、上辺２４１及び側辺２４３が開放されたポケット２６（図４）が形成される。
【００２１】
マチ部２５はリベット用の穴２７を２つ有し、ポケット形成後の４枚の元シートはリベットにより表紙部の背表紙に固定される（図５）。図４は最初のページを開いたときのファイル収納具を示す。
【００２２】
前述したように、元シートは４枚を重ね折りし一定幅の背表紙に固定してブック形状とするため、各シートのマチ幅を内側にいくほど小さくしていく必要が生じる。図６は閉じた状態の本ファイル収納具を縦方向上から見たときの背表紙近傍の拡大平面図であり、本実施形態における各シート及び表紙部のマチ幅を示したものである。素材の厚さにもよるが、４枚の元シートを重ねて８シートページのブックとするためには、図６に示すように、各シートのマチ幅を１ｍｍずつ狭めて重ねるのが適当である。
【００２３】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に元シートやポケットの大きさや形状、素材の厚さ、シートページの数、表紙部と収納部の固定方法等については様々の実施形態が可能であり、それらについて本実施形態と異なる形態又は方法による実施は、本考案の技術的範囲に含まれるものと解する。
【符号の説明】
【００２４】
１      表紙部
１１    表表紙
１２    背表紙
１３    裏表紙
１４    表紙部のリベット穴
１５    リベット
１６    表紙部のポケット
２      収納部
２１    シートページ
２２    元シート
２３    ページ部
２３１  ページ部の上辺
２３２  ページ部の下辺
２４    ポケットシート部
２４１  ポケットシート部の上辺
２４２  ポケットシート部の下辺
２４３  ポケットシート部の側辺
２５    マチ部
２６    収納部のポケット
２７    収納部のリベット穴
【図１】
0003194767.tif 000003
【図２】
0003194767.tif 000004
【図３】
0003194767.tif 000005
【図４】
0003194767.tif 000006
【図５】
0003194767.tif 000007
【図６】
0003194767.tif 000008